(57)【要約】【課題】光源から出射した光が漏れることを抑制することができる照明器具を提供する。【解決手段】照明器具１００は、光源部１１０と、対向部１２０と、遮断部１３０とを備える。光源部１１０は、光源１１３を有する。光源１１３は、光を出射する。対向部１２０は、光源部１１０に対向する。遮断部１３０は、光源１１３から出射される光の光軸ＬＡの少なくとも一部を囲む。対向部１２０は、開口部１２２を有する。開口部１２２は、光源１１３から出射される光が入射する。遮断部１３０は、光源部１１０または対向部１２０に取付けられる。遮断部１３０は、開口部１２２の縁付近から漏れる光をさえぎる位置に配置される。【選択図】図４
2020004614.tif 000002
【特許請求の範囲】
【請求項１】
光を出射する光源を有する光源部と、
前記光源部に対向する対向部と、
前記光源から出射される光の光軸の少なくとも一部を囲む遮断部と
を備え、
前記対向部は、前記光源から出射される光が入射する開口部を有し、
前記遮断部は、前記光源部または前記対向部に取付けられ、前記開口部の縁付近から漏れる光をさえぎる位置に配置される、照明器具。
【請求項２】
前記遮断部は、前記光源から出射される光を反射する、請求項１に記載の照明器具。
【請求項３】
前記遮断部は、前記光源部または前記対向部から着脱可能である、請求項１または請求項２に記載の照明器具。
【請求項４】
前記対向部には、溝が形成されており、
前記遮断部は前記溝に篏合する、請求項１から請求項３のいずれか１項に記載の照明器具。
【請求項５】
前記遮断部は弾性部材によって形成されている、請求項１から請求項４のいずれか１項に記載の照明器具。
【発明の詳細な説明】
【技術分野】
【０００１】
本発明は、照明器具に関する。
【背景技術】
【０００２】
特許文献１に記載のランプユニットは、ランプケースと、ランプカバーと、光源基板とを備える。ランプカバーは、透光性を有しており、ランプケース下端のケース開口部を被蓋する。
【先行技術文献】
【特許文献】
【０００３】
【特許文献１】特開２０１７−２０４３９８号公報
【発明の概要】
【発明が解決しようとする課題】
【０００４】
しかしながら、特許文献１に記載のランプユニットは、光源から出射された光が漏れる可能性がある。例えば、ランプユニットとランプカバーとの間に隙間があるため、隙間から光が漏れる可能性がある。また、例えば、ランプカバーを導光して、光が漏れる可能性がある。したがって、光が漏れることによって、効率（光源出射光量に対する照明器具出射光量の割合）が低下する可能性がある。
【０００５】
本発明は上記課題に鑑みてなされたものであり、その目的は光源から出射した光が漏れることを抑制することができる照明器具を提供することにある。
【課題を解決するための手段】
【０００６】
本発明に開示する照明器具は、光源部と、対向部と、遮断部とを備える。前記光源部は、光源を有する。前記光源は、光を出射する。前記対向部は、前記光源部に対向する。前記遮断部は、前記光源から出射される光の光軸の少なくとも一部を囲む。前記対向部は、開口部を有する。前記開口部は、前記光源から出射される光が入射する。前記遮断部は、前記光源部または前記対向部に取付けられる。前記遮断部は、前記開口部の縁付近から漏れる光をさえぎる位置に配置される。
【０００７】
本発明に開示する照明器具において、前記遮断部は、前記光源から出射される光を反射することが好ましい。
【０００８】
本発明に開示する照明器具において、前記遮断部は、前記光源部または前記対向部から着脱可能であることが好ましい。
【０００９】
本発明に開示する照明器具において、前記対向部には、溝が形成されていることが好ましい。前記遮断部は前記溝に篏合することが好ましい。
【００１０】
本発明に開示する照明器具において、前記遮断部は弾性部材によって形成されていることが好ましい。
【発明の効果】
【００１１】
本発明に係る照明器具によれば、光源から出射した光が漏れることを抑制することができる。
【図面の簡単な説明】
【００１２】
【図１】本発明の実施形態１に係る照明器具を示す斜視図である。
【図２】本発明の実施形態１に係る照明器具を示す分解斜視図である。
【図３】（ａ）および（ｂ）は、対向部および遮断部を斜め上方から視た斜視図である。（ｃ）は、対向部および遮断部を斜め下方から視た斜視図である。
【図４】実施形態１に係る遮断部の近傍を示す断面図である。
【図５】第１変形例に係る遮断部の近傍を示す断面図である。
【図６】（ａ）および（ｂ）は、第２変形例に係る遮断部の近傍を示す断面図である。
【図７】第３変形例に係る遮断部の近傍を示す断面図である。
【図８】第４変形例に係る遮断部の近傍を示す断面図である。
【図９】第５変形例に係る遮断部の近傍を示す断面図である。
【図１０】本発明の実施形態２に係る照明器具を示す模式的な断面図である。
【図１１】照明器具を示す分解斜視図である。
【図１２】照明器具を示す分解斜視図である。
【図１３】（ａ）は、実施形態２に係る遮断部を斜め下方から視た斜視図である。（ｂ）は、実施形態２に係る遮断部を斜め上方から視た斜視図である。
【図１４】（ａ）は、実施形態２に係る遮断部の平面図である。（ｂ）は、実施形態２に係る遮断部の断面図である。
【図１５】実施形態２に係る遮断部の近傍を示す断面図である。
【発明を実施するための形態】
【００１３】
以下、本発明の実施形態について、図面を参照しながら説明する。なお、図中、同一または相当部分については同一の参照符号を付して説明を繰り返さない。本発明の実施形態において、Ｘ軸、Ｙ軸、およびＺ軸は互いに直交し、Ｘ軸およびＹ軸は水平面に平行であり、Ｚ軸は鉛直線に平行である。
【００１４】
［実施形態１］
図１および図２を参照して、本発明の実施形態１に係る照明器具１００について説明する。図１は、本発明の実施形態１に係る照明器具１００を示す斜視図である。図２は、本発明の実施形態１に係る照明器具１００を示す分解斜視図である。図２では、図面の簡略化のため、枠体１７０と、取付具１８０とを省略している。
【００１５】
図１および図２に示すように、照明器具１００は、例えば、ダウンライトである。照明器具１００は、例えば、室内の天井に取り付けられる。
【００１６】
照明器具１００は、光源部１１０と、対向部１２０と、遮断部１３０と、反射部材１４０と、枠体１７０と、取付具１８０とを備える。
【００１７】
光源部１１０は、放熱部１１８と、光源モジュール１１１とを有する。
【００１８】
放熱部１１８は、例えば、ヒートシンクである。放熱部１１８は光源モジュール１１１の上部に固定される。放熱部１１８は、複数のフィン１１８ａと、底板１１８ｂとを有する。放熱部１１８は、複数のフィン１１８ａによって放熱し、光源モジュール１１１の温度上昇を抑制する。放熱部１１８は、伝熱性の高い材料で形成されており、例えば金属で形成されていることが好ましい。金属の中でも、成形加工の容易性や照明器具１００の軽量化を考慮し、例えばアルミニウムまたはアルミニウム合金で形成されていることが好ましい。
【００１９】
光源モジュール１１１は、基板１１２と、光源１１３と、光源保持部１１４と、放熱シート１１６とを有する。光源モジュール１１１は、放熱部１１８の底部に固定される。光源１１３は、光を出射する。光源１１３は、複数の発光素子を含み、基板１１２の実装面に実装される。本実施形態では、光源１１３は、ＬＥＤ（Ｌｉｇｈｔ  Ｅｍｉｔｔｉｎｇ  Ｄｉｏｄｅ）アレイであり、複数のＬＥＤを含む。本実施形態では、光源１１３は、複数のＬＥＤを蛍光体で封止することにより形成されるＣＯＢ（Ｃｈｉｐ  ｏｎ  Ｂｏａｒｄ）タイプである。なお、光源１１３は、ＬＥＤと蛍光体とを１ユニット化してＬＥＤチップを形成し、複数のＬＥＤチップを基板１１２の実装面に載置して基板１１２の導電パターンに電気的に接続するＳＭＤ（Ｓｕｒｆａｃｅ  Ｍｏｕｎｔ  Ｄｅｖｉｃｅ）タイプであってもよい。
【００２０】
基板１１２の実装面の裏面は放熱部１１８の底部に接している。したがって、光源モジュール１１１が発した熱は、放熱部１１８に伝達され、放熱部１１８によって効果的に放散される。その結果、光源モジュール１１１の異常な温度上昇を抑制できる。
【００２１】
光源保持部１１４は、例えば、ソケットである。光源保持部１１４は、基板１１２を保持する。光源保持部１１４は、光源１１３に重なる位置に円形の開口部を有する。光源１１３から出射された光は、ほぼ全てが開口部を通過する。
【００２２】
放熱シート１１６は、略円形状である。放熱シート１１６は、例えば合成ゴム製のシート材により形成される。放熱シート１１６は、熱伝導性が高い材料を含有する。
【００２３】
対向部１２０は、光源部１１０に対向する。本実施形態では、対向部１２０は、例えば、モジュールカバーである。対向部１２０は、固定具１２９によって、底板１１８ｂに取り付けられる。対向部１２０は、光源１１３から出射される光が入射する。
【００２４】
遮断部１３０は、光軸ＬＡの少なくとも一部を囲む。本実施形態では、遮断部１３０は、光軸ＬＡの周りの全てを囲む。光軸ＬＡは、光源１１３から出射される光の光軸である。光軸ＬＡは、光源１１３の出射面に直交し、光源１１３の中心を通る。本実施形態では、遮断部１３０は、環状である。遮断部１３０は、本実施形態では、円環状である。遮断部１３０は、シート状である。遮断部１３０は、一部途切れていてもよい。遮断部１３０は、例えば、樹脂から形成される。遮断部１３０は弾性部材によって形成されていることが好ましい。遮断部１３０は、光源１１３から出射される光を反射する。なお、遮断部１３０は、光が不透過である限り、光を反射しなくてもよい。
【００２５】
反射部材１４０は、光源１１３から出射された光を反射する。反射部材１４０は、略円錐台状である。光源１１３から出射された光を効率的に反射するために、少なくとも反射部材１４０の内面は、反射加工されていることが好ましい。反射加工は、例えば、白色塗装、銀色塗装、または、光沢のある金属メッキ加工を含む。あるいは、反射部材１４０の色は、白色または銀色のような光反射率の高い色彩であってもよい。また、反射部材１４０は、樹脂から形成されてもよい。
【００２６】
枠体１７０は、円筒状である。枠体１７０は、底板１１８ｂに取り付けられる。枠体１７０は、反射部材１４０の周囲を覆う。
【００２７】
取付具１８０は、筒部１８１と、取付バネ１８２とを有する。取付バネ１８２は、筒部１８１の外周面に取り付けられる。
【００２８】
筒部１８１は、枠体１７０に取り付けられる。
【００２９】
取付バネ１８２は、弾性を有する金属製である。取付バネ１８２は、薄板状部材を曲げ加工することにより成形される。本実施形態では、取付具１８０は、２個の取付バネ１８２を有するが、取付バネ１８２の数は３つ以上でもよい。
【００３０】
図１〜図３を参照して、対向部１２０および遮断部１３０について、さらに説明する。図３（ａ）および図３（ｂ）は、対向部１２０および遮断部１３０を斜め上方から視た斜視図である。図３（ｃ）は、対向部１２０および遮断部１３０を斜め下方から視た斜視図である。図３（ａ）は、遮断部１３０が対向部１２０から取り外された状態を示す。図３（ｂ）および図３（ｃ）は、遮断部１３０が対向部１２０に取り付けられた状態を示す。
【００３１】
図３（ａ）に示すように、対向部１２０は、開口部１２２を有する。開口部１２２には、光源１１３から出射される光が入射する。対向部１２０には、溝１２３が形成されている。
【００３２】
図３（ｂ）に示すように、遮断部１３０は、対向部１２０に取り付けられる。遮断部１３０は、溝１２３に篏合する。したがって、対向部１２０に対する遮断部１３０の取り付けが容易になる。また、対向部１２０に対する遮断部１３０の位置決めが容易になる。本実施形態では、遮断部１３０の高さ（Ｚ軸方向に沿った長さ）は、溝１２３の深さよりも高い。したがって、遮断部１３０の一部が対向部１２０から突出した状態で、遮断部１３０は溝１２３に取り付けられる。遮断部１３０は、対向部１２０から着脱可能である。
【００３３】
図３（ｃ）に示すように、対向部１２０は、ドーム部１２４と、取付部１２６とを有する。ドーム部１２４は、ドーム状である。ドーム部１２４は、透明である。ドーム部１２４は、レンズ機能を有していてもよい。なお、ドーム部１２４は、表面に光拡散処理を施されていてもよい。あるいは、ドーム部１２４は、拡散材料を混ぜて成形してもよい。取付部１２６は、平坦状である。取付部１２６は、ドーム部１２４の端部に連設する。
【００３４】
図１〜図４を参照して、遮断部１３０による、光の遮断について説明する。図４は、実施形態１に係る遮断部１３０の近傍を示す断面図である。
【００３５】
図４に示すように、光源部１１０と対向部１２０との間に隙間１９１を有する。遮断部１３０は、着脱可能である。したがって、隙間１９１の大きさに応じた遮断部１３０を使用することによって、隙間１９１を好適に埋めることができる。
【００３６】
ドーム部１２４は、光源１１３に対向する位置に配置される。取付部１２６は光源部１１０に取り付けられる。
【００３７】
遮断部１３０は、開口部１２２の縁付近から漏れる光をさえぎる位置に配置される。本実施形態では、遮断部１３０は、ドーム部１２４の光源１１３側の端部に配置される。遮断部１３０は、遮断部１３０の一部は隙間１９１に配置される。遮断部１３０は、光源部１１０と接触する。したがって、開口部１２２の縁付近に到達した光Ｌ１が漏れることを抑制することができる。例えば、光Ｌ１が、取付部１２６を導光して反射部材１４０（図１参照）の外に漏れていくことを抑制することができる。あるいは、光Ｌ１が隙間１９１から反射部材１４０の外に漏れていくことを抑制することができる。その結果、光源２１３が出射する光の損失を抑制できる。
【００３８】
以上、図１〜図４を参照して説明したように、本実施形態によれば、遮断部１３０は、開口部１２２の縁付近から漏れる光をさえぎる位置に配置される。したがって、開口部１２２の縁付近に到達した光Ｌ１が漏れることを抑制することができる。その結果、光源２１３が出射する光の損失を抑制できる。
【００３９】
また、落雷等によって照明器具１００（光源１１３など）に大電圧が印加されても、遮断部１３０によって遮断される。したがって、光源１１３から導電体への雷サージによるリーク電流の発生を抑制できる。導電体は、例えば、図２に示す対向部１２０を固定する固定具１２９（金属製のビス）である。
【００４０】
また、遮断部２３０は、光源２１３から出射される光を反射する。したがって、光源２１３が出射する光の損失をさらに抑制できる。
【００４１】
また、遮断部１３０は、着脱可能である。したがって、隙間１９１の大きさに応じた遮断部１３０を使用することによって、隙間１９１を好適に埋めることができる。
【００４２】
また、対向部１２０には、溝１２３が形成されている。遮断部１３０は溝１２３に篏合する。したがって、対向部１２０に対する遮断部１３０の取り付けが容易になる。また、対向部１２０に対する遮断部１３０の位置決めが容易になる。
【００４３】
また、遮断部１３０の一部は隙間１９１に配置される。したがって、光Ｌ１が隙間１９１から反射部材１４０の外に漏れていくことを抑制することができる。
【００４４】
また、遮断部１３０は、遮断部１３０は弾性部材によって形成されていることが好ましい。したがって、対向部１２０と光源保持部１１４との密着性を向上させることができる。その結果、光源２１３から出射された光の出射効率を向上させることができる。
【００４５】
［第１変形例］
実施形態１では、光源部１１０と対向部１２０との間に隙間１９１を有していたが、光源部１１０と対向部１２０との間に隙間１９１が無くてもよい。図１〜図３および図５を参照して、本発明の第１変形例に係る照明器具１００について説明する。図５は、第１変形例に係る遮断部１３０の近傍を示す断面図である。光源部１１０と対向部１２０との間に隙間１９１が無い点で、第１変形例に係る照明器具１００は、実施形態１に係る照明器具１００と主に異なる。以下、第１変形例が実施形態１と異なる点を主に説明する。
【００４６】
図５に示すように、第１変形例では、光源部１１０と対向部１２０との間に隙間１９１が無い。第１変形例では、遮断部１３０は、対向部１２０から突出していない。第１変形例では、実施形態１と同様に、遮断部１３０は、開口部１２２の縁付近から漏れる光をさえぎる位置に配置される。したがって、開口部１２２の縁付近に到達した光Ｌ１が漏れることを抑制することができる。
【００４７】
［第２変形例］
実施形態１および第１変形例では、対向部１２０は溝１２３を有していたが、対向部１２０は溝１２３を有していなくてもよい。図１〜図３および図６を参照して、本発明の第２変形例に係る照明器具１００について説明する。図６（ａ）および図６（ｂ）は、第２変形例に係る遮断部１３０の近傍を示す断面図である。対向部１２０が溝１２３を有していない点で、第２変形例に係る照明器具１００は、実施形態１および第１変形例に係る照明器具１００と主に異なる。以下、第２変形例が実施形態１および第１変形例と異なる点を主に説明する。
【００４８】
図６（ａ）に示すように、対向部１２０は溝１２３を有していない。対向部１２０は、内周面１２８ａと、外周面１２８ｂとをさらに有する。遮断部１３０は、内周面１２８ａに取付けられる。遮断部１３０は、例えば、接着することによって対向部１２０に取り付けられる。
【００４９】
また、図６（ｂ）に示すように、遮断部１３０は、外周面１２８ｂに取付けられてもよい。遮断部１３０は、例えば、接着することによって対向部１２０に取り付けられる。
【００５０】
第２変形例では、実施形態１と同様に、遮断部１３０は、開口部１２２の縁付近から漏れる光をさえぎる位置に配置される。したがって、開口部１２２の縁付近に到達した光Ｌ１が漏れることを抑制することができる。
【００５１】
なお、図６（ａ）および図６（ｂ）に示した遮断部１３０は、内周面１２８ａまたは外周面１２８ｂのいずれか一方に取り付けられていたが、遮断部１３０は、内周面１２８ａおよび外周面１２８ｂのいずれにも取り付けられていてもよい。
【００５２】
［第３変形例］
対向部１２０に段差部１２７を有していてもよい。図１〜図３および図７を参照して、本発明の第３変形例に係る照明器具１００について説明する。図７は、第３変形例に係る遮断部１３０の近傍を示す断面図である。対向部１２０に段差部１２７を有している点で、第２変形例と主に異なる。以下、第３変形例が第２変形例と異なる点を主に説明する。
【００５３】
図７に示すように、対向部１２０は、段差部１２７を有する。遮断部１３０は、段差部１２７に取り付けられる。第３変形例では、実施形態１と同様に、遮断部１３０は、開口部１２２の縁付近から漏れる光をさえぎる位置に配置される。したがって、開口部１２２の縁付近に到達した光Ｌ１が漏れることを抑制することができる。
【００５４】
［第４変形例］
実施形態１および第１変形例〜第３変形例では、対向部１２０は取付部１２６を有していたが、対向部１２０は取付部１２６を有していなくてもよい。図１〜図３および図８を参照して、本発明の第４変形例に係る照明器具１００について説明する。図８は、第４変形例に係る遮断部１３０の近傍を示す断面図である。対向部１２０が取付部１２６を有していない点で、第２変形例と主に異なる。以下、第４変形例が第２変形例と異なる点を主に説明する。
【００５５】
図８に示すように、第４変形例では、対向部１２０が取付部１２６を有していない。第４変形例では、実施形態１と同様に、遮断部１３０は、開口部１２２の縁付近から漏れる光をさえぎる位置に配置される。したがって、開口部１２２の縁付近に到達した光Ｌ１が漏れることを抑制することができる。
【００５６】
［第５変形例］
なお、対向部１２０は、コリメータレンズにも適用可能である。図１〜図３、図９（ａ）および図９（ｂ）を参照して、本発明の第５変形例に係る照明器具１００について説明する。図９は、第５変形例に係る遮断部１３０の近傍を示す断面図である。以下、第５変形例が第１実施形態と異なる点を主に説明する。
【００５７】
図９（ａ）に示すように、対向部１２０は、コリメータレンズである。コリメータレンズは、入射した光を屈折および／または反射させて、入射した光の配光角を所望の配光角にするレンズのことである。遮断部１３０は、内周面１２８ａに取付けられる。また、図９（ｂ）に示すように、遮断部１３０は、外周面１２８ｂに取付けられてもよい。
【００５８】
第５変形例では、実施形態１と同様に、遮断部１３０は、開口部１２２の縁付近から漏れる光をさえぎる位置に配置される。したがって、開口部１２２の縁付近に到達した光が漏れることを抑制することができる。
【００５９】
［実施形態２］
図１０〜図１２を参照して、本発明の実施形態２に係る照明器具２００について説明する。図１０は、本発明の実施形態２に係る照明器具２００を示す模式的な断面図である。なお、図１０では、図面の簡略化のため、放熱部２１８の断面を示す斜線を省略している。図１１および図１２は、照明器具２００を示す分解斜視図である。反射部材が、第１反射部材２７０と、第２反射部材２４０とを有する点と、遮断部２３０が異なる点とで、第２実施形態に係る照明器具２００は、実施形態１と主に異なる。第１実施形態との重複部分については説明を省略する。
【００６０】
図１０〜図１２に示すように、照明器具２００は、例えば、天井Ｃに取り付けられるダウンライトである。照明器具２００は、光源部２１０と、対向部２２０と、遮断部２３０と、第１反射部材２７０と、第２反射部材２４０と、取付具２８０とを備える。
【００６１】
光源部２１０は、放熱部２１８と、光源モジュール２１１とを有する。
【００６２】
放熱部２１８は、例えば、ヒートシンクである。放熱部２１８は光源モジュール２１１の上部に固定される。放熱部２１８は、複数のフィン２１８ａと、底板２１８ｂとを有する。放熱部２１８は、実施形態１に係る放熱部１１８と同様の構成を有するため説明を省略する。
【００６３】
光源モジュール２１１は、基板２１２と、光源２１３と、光源保持部２１４とを有する。光源モジュール２１１は、放熱部２１８の底部に固定される。光源２１３は、光を出射する。光源２１３は、複数の発光素子を含み、基板２１２の実装面に実装される。光源モジュール２１１は、実施形態１に係る光源モジュール１１１と同様の構成を有するため説明を省略する。
【００６４】
対向部２２０は、取付具２８０に取り付けられる。対向部２２０は、光源部２１０に対向する。本実施形態では、対向部２２０は、例えば、取付具２８０に取り付けられる上蓋である。対向部２２０は、開口部２２２を有する。開口部２２２には、光源２１３から出射される光が入射する。
【００６５】
遮断部２３０は、弾性部材によって形成されている。本実施形態では、遮断部２３０は、シリコンゴムで形成されている。遮断部２３０は、第１開口２３１と第２開口２３２と内面２３３とを有する。第１開口２３１および第２開口２３２の各々は略円形状である。第１開口２３１および第２開口２３２の各々は、光源２１３の光軸ＬＡ上に位置する。第１開口２３１は、第２開口２３２よりも光源２１３に近い。遮断部２３０は、光源部２１０に取り付けられる。詳しくは、遮断部２３０は、放熱部２１８の底板２１８ｂに取り付けられる。遮断部２３０は、光源部２１０から着脱可能である。遮断部２３０は、光源部２１０と接触する。
【００６６】
内面２３３は、光を反射する。つまり、内面２３３は反射面として機能する。例えば、内面２３３は、内面２３３に入射した光が第１反射部材２７０に向かって反射するように形成される。内面２３３の直径は、第１開口２３１から第２開口２３２に向かって漸次大きくなる。内面２３３は、例えば、放物面、楕円面、または非球面により形成される。本実施形態において、第２開口２３２の幅は、第１開口２３１の幅よりも大きい。第２開口２３２の幅は、遮断部２３０の幅に相当する。第１開口２３１の幅は、光源２１３の幅よりも大きい。遮断部２３０の内面２３３は、光源２１３が出射した光の一部（以下、「光ＬＴ１」と記載する場合がある。）を反射する。
【００６７】
第１反射部材２７０は、光源２１３と対向する反射面２７１を有する。反射面２７１は、反射面２７１の中央頂部から反射面２７１の基端縁部に向かって放射状に広がる傾斜面を含む。反射面２７１は、光源２１３に向かって凸状である。反射面２７１の中央頂部は、平坦面であってもよいし、曲面であってもよいし、尖っていてもよい。また、反射面２７１は、遮断部２３０の内面２３３よりも傾斜の緩やかな断面略山形状である。
【００６８】
第１反射部材２７０は、第１ベース部２７３および第２ベース部２７４を含む。第１ベース部２７３は、第２ベース部２７４よりも光源２１３に近い。すなわち、第１ベース部２７３は、光源２１３と第２ベース部２７４との間に位置する。第１ベース部２７３は中空になっていてもよい。第１ベース部２７３の外表面のうち、光源２１３の側に位置する外表面が、反射面２７１として機能する。
【００６９】
反射面２７１は、反射面２７１に入射した光を反射する。具体的には、反射面２７１は、光源２１３が出射した光のうち、遮断部２３０を介することなく反射面２７１に入射した光（以下、「光ＬＴ２」と記載する場合がある。）を反射する。また、反射面２７１は、遮断部２３０が反射した光ＬＴ１を反射する。反射面２７１は、反射面２７１に入射した光ＬＴ１および光ＬＴ２が第２反射部材２４０（具体的には第２反射部材２４０の内面２４３）に向かって反射するように形成されている。したがって、反射面２７１に入射した光ＬＴ１および光ＬＴ２は、第２反射部材２４０に向かって反射する。
【００７０】
第２ベース部２７４は、第１ベース部２７３に取り付けられている。本実施形態において、第２ベース部２７４は、平板状である。ただし、第２ベース部２７４は、第２反射部材２４０の第４開口２４２の側に凸状に湾曲していてもよいし、第１ベース部２７３の側に凸状に湾曲していてもよい。また、本実施形態において、第１ベース部２７３および第２ベース部２７４は、光を透過しない。第２ベース部２７４は、第２反射部材２４０の第４開口２４２から露出しており、化粧板として機能する。したがって、第２ベース部２７４を第１ベース部２７３に取り付けることによって、第１ベース部２７３が露出することを抑制でき、ひいては、照明器具２００の美感を向上できる。
【００７１】
第２ベース部２７４は、複数の連結部２７４ａを有する。連結部２７４ａは、略柱状であり、光軸ＬＡに沿って、第２反射部材２４０の第３開口２４１の側に延びている。一方、第１ベース部２７３は、複数の連結部２７４ａに対応して、複数の貫通孔２７３ａを有する。そして、図１に示すように、連結部２７４ａは、貫通孔２７３ａに挿入されて、第２反射部材２４０の第３開口２４１側の端部に取り付けられる。その結果、第１反射部材２７０と第２反射部材２４０とが連結される。
【００７２】
第２反射部材２４０は、略円錐台状である。第２反射部材２４０は、第３開口２４１と第４開口２４２と内面２４３とを有する。第３開口２４１と第４開口２４２とは、光軸ＬＡ上に位置する。第３開口２４１および第４開口２４２の各々は略円形状である。第３開口２４１は、第４開口２４２よりも光源２１３に近い。つまり、第３開口２４１は、光源２１３と第４開口２４２との間に位置する。
【００７３】
第２反射部材２４０の内面２４３は、内面２４３に入射した光を反射する。つまり、内面２４３は反射面として機能する。例えば、第２反射部材２４０の内面２４３は、内面２４３に入射した光の広がりを制御することによって配光を制御する。なお、光の広がりを制御することによる配光の制御の精度は、光を散乱させることによる配光の制御の精度よりも高い。内面２４３の直径は、第３開口２４１から第４開口２４２に向かって漸次大きくなる。内面２４３は、例えば、放物面、楕円面、または非球面により形成される。本実施形態において、第４開口２４２の幅は、第３開口２４１の幅よりも大きい。第４開口２４２の幅は、第２反射部材２４０の幅に相当する。第２反射部材２４０の幅は、第１反射部材２７０の幅よりも大きい。また、第１反射部材２７０の幅は、第３開口２４１の幅よりも大きい。第１反射部材２７０は、第２反射部材２４０に内包され、第４開口２４２よりも光源２１３に近い。
【００７４】
第１反射部材２７０の反射面２７１および第２反射部材２４０の内面２４３には、光を効率良く反射するために、白色塗装、銀色塗装、または光沢のある金属メッキなどの反射加工が施されていることが好ましい。
【００７５】
また、第２反射部材２４０の内面２４３は、ディンプル形状を有するように加工されていてもよい。さらに、内面２４３は、粗面化加工（例えば、シボ加工）により微細な凹凸を表面に形成したものであってもよい。内面２４３の形状は適宜変更される。内面２４３は、光を拡散させてもよい。
【００７６】
以上、図１０〜図１２を参照して説明したように、本実施形態によれば、第１反射部材２７０には、光源２１３が出射し、遮断部２３０が反射した光（光ＬＴ１）が入射する。また、第１反射部材２７０には、光源２１３が出射した光の一部（光ＬＴ２）が直接入射する。その結果、光源２１３が出射した光が、第１反射部材２７０を介することなく、直接に照明器具２００から出射されることを抑制でき、眩しさを低減できる。
【００７７】
また、本実施形態によれば、第２反射部材２４０の内面２４３は、内面２４３に入射した光の配光を制御する。したがって、例えば、照明器具２００の斜め下方に強い光が出射されることを低減できる。その結果、照明器具２００の斜め下方に位置する人が照明器具２００から出射される光による眩しさを感じることを低減できる。
【００７８】
次に、図１０を参照して、光の経路について説明する。図１０に示すように、光源２１３が出射した光は、遮断部２３０の第１開口２３１に入射する。第１開口２３１に入射した光の一部は、光ＬＴ１として遮断部２３０の内面２３３に入射する。そして、光ＬＴ１は、内面２３３に反射されて、第２開口２３２から出射する。また、第１開口２３１に入射した光の他の一部は、光ＬＴ２として第２開口２３２から直接出射する。したがって、遮断部２３０は、光源２１３が出射した光のうち、第２開口２３２から直接出射しない光を、内面２３３を介して第２開口２３２から出射させる。その結果、遮断部２３０は、光源２１３が出射した光を集光し、光源２１３が出射する光の損失を抑制できる。
【００７９】
第２開口２３２を出射した光ＬＴ１および光ＬＴ２は、第３開口２４１に入射する。第３開口２４１に入射した光ＬＴ１および光ＬＴ２は、空気を媒質として伝播し、第１反射部材２７０の反射面２７１に入射する。反射面２７１は、反射面２７１に入射してきた光ＬＴ１および光ＬＴ２を反射することによって、光ＬＴ１および光ＬＴ２の進行方向を光軸ＬＡの延びる方向と異なる方向に変化させる。具体的には、反射面２７１に入射した光ＬＴ１および光ＬＴ２が第２反射部材２４０の内面２４３に向かうように、反射面２７１は、光ＬＴ１および光ＬＴ２を反射する。そして、反射面２７１によって反射された光ＬＴ１および光ＬＴ２は、第２反射部材２４０の内面２４３によってさらに反射されて、第４開口２４２から出射する。
【００８０】
以上、図１０を参照して説明したように、本実施形態によれば、光源２１３が出射した光は、第１反射部材２７０によって反射される。そして、第１反射部材２７０によって反射された光は、第２反射部材２４０によってさらに反射される。したがって、第２反射部材２４０が配光を制御しつつ、光源２１３が出射した光が、照明器具２００から直接出射することを抑制できる。その結果、所望の配光を確保して眩しさを低減できる。
【００８１】
また、本実施形態によれば、第１反射部材２７０の反射面２７１は、反射面２７１の中央頂部から反射面２７１の基端縁部に向かって放射状に広がる傾斜面を含む。したがって、反射面２７１に入射した光ＬＴ１および光ＬＴ２が遮断部２３０の内面２３３に向かうことを抑制しつつ、反射面２７１に入射した光ＬＴ１および光ＬＴ２が第２反射部材２４０の内面２４３に向かうように反射させる。その結果、反射面２７１に入射した光ＬＴ１および光ＬＴ２が遮断部２３０の内面２３３によって繰り返し反射されることに起因して照明器具２００からの光ＬＴ１および光ＬＴ２の出射効率が低減することを抑制できる。出射効率は、光源２１３からの光量に対する照明器具２００からの光量を示す。
【００８２】
図１３および図１４を参照して、遮断部２３０についてさらに説明する。図１３（ａ）は、実施形態２に係る遮断部２３０を斜め下方から視た斜視図である。図１３（ｂ）は、実施形態２に係る遮断部２３０を斜め上方から視た斜視図である。図１４（ａ）は、実施形態２に係る遮断部２３０の平面図である。図１４（ｂ）は、実施形態２に係る遮断部２３０の断面図である。
【００８３】
図１３および図１４に示すように、遮断部２３０は、第１開口２３１と第２開口２３２と内面２３３とに加えて、さらに、第１ベース部２３４と、一対の第２ベース部２３５と、突起部２３６と、第３ベース部２３７とを有する。
【００８４】
第１ベース部２３４は、平坦状である。第２ベース部２３５は、第１ベース部２３４から突出する。２つの第２ベース部２３５の各々は、平坦状である。一対の第２ベース部２３５は、対向している。突起部２３６は、第２ベース部２３５から突起する。突起部２３６は、遮断部２３０を光源部１１０に取り付ける際の位置決めピンとして機能する。第３ベース部２３７は、第１ベース部２３４から突出する。第３ベース部２３７は、平坦状である。
【００８５】
図１４（ｂ）に示すように、内面２３３の直径は、第１開口２３１から第２開口２３２に向かって漸次大きくなる。
【００８６】
図１５を参照して、光の経路について説明する。図１５は、実施形態２に係る遮断部２３０の近傍を示す断面図である。なお、図１５では、図面の簡略化のため、放熱部２１８の断面を示す斜線を省略している。
【００８７】
図１５に示すように、遮断部２３０は、開口部２２２の縁付近から漏れる光をさえぎる位置に配置される。本実施形態では、対向部２２０の開口部２２２を覆うように、遮断部２３０は配置される。また、遮断部２３０は、弾性部材によって形成されている。したがって、光源部２１０と対向部２２０との間の隙間２９１を埋めるように、遮断部２３０は配置される。すなわち、遮断部２３０の全部は、隙間２９１に配置される。したがって、開口部２２２の縁付近に到達した光ＬＴ３が漏れることを抑制することができる。例えば、光ＬＴ３が、隙間２９１から第２反射部材２４０の外に漏れていくことを抑制することができる。その結果、光源２１３が出射する光の損失を抑制できる。
【００８８】
（付記１）
光を出射する光源を有する光源部と、
前記光源部に対向する対向部と、
前記光源から出射される光の光軸の少なくとも一部を囲む遮断部と
を備え、
前記対向部は、前記光源から出射される光が入射する開口部を有し、
前記遮断部は、前記光源部または前記対向部に取付けられ、前記開口部の縁付近から漏れる光をさえぎる位置に配置される、照明器具。
【００８９】
（付記２）
前記遮断部は、前記光源から出射される光を反射する、付記１に記載の照明器具。
【００９０】
（付記３）
前記遮断部は、前記光源部または前記対向部から着脱可能である、付記１または付記２に記載の照明器具。
【００９１】
（付記４）
前記対向部には、溝が形成されており、
前記遮断部は前記溝に篏合する、付記１から付記３のいずれか１項に記載の照明器具。
【００９２】
（付記５）
前記光源部と前記対向部との間に隙間を有し、
前記遮断部の一部または全部は前記隙間に配置される、付記１から付記４のいずれか１項に記載の照明器具。
【００９３】
（付記６）
前記遮断部は前記光源部と接触する、付記１から付記５のいずれか１項に記載の照明器具。
【００９４】
（付記７）
前記遮断部はシート状である、付記１から付記６のいずれか１項に記載の照明器具。
【００９５】
（付記８）
前記遮断部は環状である、付記１から付記６のいずれか１項に記載の照明器具。
【００９６】
（付記９）
前記遮断部は弾性部材によって形成されている、付記１から付記８のいずれか１項に記載の照明器具。
【００９７】
（付記１０）
前記対向部は、前記光源に対向する位置に配置されるドーム部を有し、
前記遮断部は、前記ドーム部の光源側の端部に配置される、付記１から付記９のいずれか１項に記載の照明器具。
【００９８】
（付記１１）
前記ドーム部は内周面を有し、
前記遮断部は前記内周面に配置される、付記１０に記載の照明器具。
【００９９】
（付記１２）
前記ドーム部は外周面を有し、
前記遮断部は前記外周面に配置される、付記１０に記載の照明器具。
【０１００】
（付記１３）
前記ドーム部はレンズ機能を有する、付記１０から付記１２のいずれか１項に記載の照明器具。
【０１０１】
（付記１４）
前記対向部は、前記ドーム部の前記端部に連設する取付部をさらに有し、
前記取付部は前記光源部に取り付けられる、付記１０から付記１３のいずれか１項に記載の照明器具。
【０１０２】
以上、図面（図１〜図１５）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【０１０３】
（１）実施形態１および実施形態２では、照明器具は、ダウンライトであった。ただし、照明器具の種類は特に限定されない。例えば、照明器具はスポットライトであってもよい。
【０１０４】
（２）実施形態２では、照明器具２００は、上蓋（対向部２２０）と、取付具２８０とを備えていたが、本発明はこれに限定されない。例えば、照明器具２００は、上蓋（対向部２２０）と、取付具２８０とを備えていなくてもよい。この場合、第２反射部材２４０が光源部２１０に直付けされる。遮断部２３０は、第２反射部材２４０の第３開口２４１の縁付近から漏れる光をさえぎる位置に配置される。
【符号の説明】
【０１０５】
１００、２００  照明器具
１１３、２１３  光源
１１０、２１０  光源部
１２０、２２０  対向部
１２２、２２２  開口部
１２３    溝
１２４    ドーム部
１２６    取付部
１２８ａ  内周面
１２８ｂ  外周面
１３０、２３０  遮断部
１９１、２９１  隙間
ＬＡ      光軸
【図１】
2020004614.tif 000003
【図２】
2020004614.tif 000004
【図３】
2020004614.tif 000005
【図４】
2020004614.tif 000006
【図５】
2020004614.tif 000007
【図６】
2020004614.tif 000008
【図７】
2020004614.tif 000009
【図８】
2020004614.tif 000010
【図９】
2020004614.tif 000011
【図１０】
2020004614.tif 000012
【図１１】
2020004614.tif 000013
【図１２】
2020004614.tif 000014
【図１３】
2020004614.tif 000015
【図１４】
2020004614.tif 000016
【図１５】
2020004614.tif 000017